【手続補正書】
【提出日】平成17年4月21日(2005.4.21)
【手続補正１】
【補正対象書類名】明細書
【補正対象項目名】発明の名称
【補正方法】変更
【補正の内容】
【発明の名称】ＥＬ表示装置及びその駆動方法
【手続補正２】
【補正対象書類名】明細書
【補正対象項目名】特許請求の範囲
【補正方法】変更
【補正の内容】
【特許請求の範囲】
【請求項１】
第１のＴＦＴ、第２のＴＦＴ及びＥＬ素子を有する画素を複数と、複数のソース信号線と、電源供給線と、ソース信号線駆動回路とを有し、
前記ＥＬ素子は一対の電極と前記一対の電極に挟持されたＥＬ層とを有し、
前記電源供給線には所定の電位が与えられ、
前記複数のソース信号線は、前記第１のＴＦＴのソースまたはドレインの一方に接続され、他方は前記第２のＴＦＴのゲート電極に接続され、
前記第２のＴＦＴのソースまたはドレインの一方は前記電源供給線に接続され、他方は前記ＥＬ素子の一対の電極のうちの一方に接続され、
１フレーム期間中に設けられた（ｎ＋ｍ）個（ｎ、ｍは共に自然数）の表示期間それぞれにおいて、前記ソース信号線駆動回路はｎビットのデジタルビデオ信号のうちいずれか１ビットのデジタルビデオ信号を前記複数のソース信号線それぞれに出力し、
前記（ｎ＋ｍ）個の表示期間のいずれかｋ（ｋは２以上ｎ＋ｍより小さい自然数）個の表示期間において、前記ソース信号線駆動回路が出力するデジタルビデオ信号は前記ｎビットのデジタルビデオ信号のうち第ｉ（ｉはｎ以下の自然数）位ビット目のデジタルビデオ信号に対応し、
前記ｋ個の表示期間は連続せず、前記ｋ個の表示期間の間の表示期間において、前記ソース信号線駆動回路は前記ｎビットのデジタルビデオ信号のうち第ｊ（ｊはｉとは異なるｎ以下の自然数）位ビット目に対応するデジタルビデオ信号を前記複数のソース信号線それぞれに出力することを特徴とするＥＬ表示装置。
【請求項２】
第１のＴＦＴ、第２のＴＦＴ、第３のＴＦＴ及びＥＬ素子を有する画素を複数と、複数のソース信号線と、電源供給線と、ソース信号線駆動回路とを有し、
前記ＥＬ素子は一対の電極と前記一対の電極に挟持されたＥＬ層とを有し、
前記電源供給線には所定の電位が与えられ、
前記複数のソース信号線は、前記第１のＴＦＴのソースまたはドレインの一方に接続され、他方は前記第２のＴＦＴのゲート電極に接続され、
前記第２のＴＦＴのソースまたはドレインの一方は前記電源供給線に接続され、他方は前記ＥＬ素子の一対の電極のうちの一方に接続され、
前記第３のＴＦＴのソースまたはドレインの一方は、前記第２のＴＦＴのゲート電極に接続され、他方は前記電源供給線に接続され、
１フレーム期間中に設けられた（ｎ＋ｍ）個（ｎ、ｍは共に自然数）の表示期間それぞれにおいて、前記ソース信号線駆動回路はｎビットのデジタルビデオ信号のうちいずれか１ビットのデジタルビデオ信号を前記複数のソース信号線それぞれに出力し、
前記（ｎ＋ｍ）個の表示期間のいずれかｋ（ｋは２以上ｎ＋ｍより小さい自然数）個の表示期間において、前記ソース信号線駆動回路が出力するデジタルビデオ信号は前記ｎビットのデジタルビデオ信号のうち第ｉ（ｉはｎ以下の自然数）位ビット目のデジタルビデオ信号に対応し、
前記ｋ個の表示期間は連続せず、前記ｋ個の表示期間の間の表示期間において、前記ソース信号線駆動回路は前記ｎビットのデジタルビデオ信号のうち第ｊ（ｊはｉとは異なるｎ以下の自然数）位ビット目に対応するデジタルビデオ信号を前記複数のソース信号線それぞれに出力することを特徴とするＥＬ表示装置。
【請求項３】
第１のＴＦＴ、第２のＴＦＴ及びＥＬ素子をそれぞれ有する画素を複数と、複数のソース信号線と、電源供給線と、ソース信号線駆動回路とを有し、
前記ＥＬ素子は一対の電極と前記一対の電極に挟持されたＥＬ層とを有し、
前記電源供給線には所定の電位が与えられ、
前記複数のソース信号線は、前記第１のＴＦＴのソースまたはドレインの一方に接続され、他方は前記第２のＴＦＴのゲート電極に接続され、
前記第２のＴＦＴのソースまたはドレインの一方は前記電源供給線に接続され、他方は前記ＥＬ素子の一対の電極のうちの一方に接続され、
１フレーム期間中に設けられた（ｎ＋ｍ）個（ｎ、ｍは共に自然数）の表示期間それぞれにおいて、前記ソース信号線駆動回路はｎビットのデジタルビデオ信号のうちいずれか１ビットのデジタルビデオ信号を前記複数のソース信号線それぞれに出力し、
前記（ｎ＋ｍ）個の表示期間のいずれかｋ（ｋは２以上ｎ＋ｍより小さい自然数）個の表示期間において、前記ソース信号線駆動回路が出力するデジタルビデオ信号は前記ｎビットのデジタルビデオ信号のうち最上位ビット目のデジタルビデオ信号に対応し、
前記ｋ個の表示期間は連続せず、前記ｋ個の表示期間の間の表示期間において、前記ソース信号線駆動回路は前記ｎビットのデジタルビデオ信号のうち最上位ビット目以外のビット目に対応するデジタルビデオ信号を前記複数のソース信号線それぞれに出力することを特徴とするＥＬ表示装置。
【請求項４】
第１のＴＦＴ、第２のＴＦＴ、第３のＴＦＴ及びＥＬ素子をそれぞれ有する画素を複数と、複数のソース信号線と、電源供給線と、ソース信号線駆動回路とを有し、
前記ＥＬ素子は一対の電極と前記一対の電極に挟持されたＥＬ層とを有し、
前記電源供給線には所定の電位が与えられ、
前記複数のソース信号線は、前記第１のＴＦＴのソースまたはドレインの一方に接続され、他方は前記第２のＴＦＴのゲート電極に接続され、
前記第２のＴＦＴのソースまたはドレインの一方は前記電源供給線に接続され、他方は前記ＥＬ素子の一対の電極のうちの一方に接続され、
前記第３のＴＦＴのソースまたはドレインの一方は、前記第２のＴＦＴのゲート電極に接続され、他方は前記電源供給線に接続され、
１フレーム期間中に設けられた（ｎ＋ｍ）個（ｎ、ｍは共に自然数）の表示期間それぞれにおいて、前記ソース信号線駆動回路はｎビットのデジタルビデオ信号のうちいずれか１ビットのデジタルビデオ信号を前記複数のソース信号線それぞれに出力し、
前記（ｎ＋ｍ）個の表示期間のいずれかｋ（ｋは２以上ｎ＋ｍより小さい自然数）個の表示期間において、前記ソース信号線駆動回路が出力するデジタルビデオ信号は前記ｎビットのデジタルビデオ信号のうち最上位ビット目のデジタルビデオ信号に対応し、
前記ｋ個の表示期間は連続せず、前記ｋ個の表示期間の間の表示期間において、前記ソース信号線駆動回路は前記ｎビットのデジタルビデオ信号のうち最上位ビット目以外のビット目に対応するデジタルビデオ信号を前記複数のソース信号線それぞれに出力することを特徴とするＥＬ表示装置。
【請求項５】
請求項１乃至請求項４のいずれか１項において、
前記第１のＴＦＴと前記第２のＴＦＴは極性が同じであることを特徴とするＥＬ表示装置。
【請求項６】
請求項１乃至請求項５のいずれか１項に記載の前記ＥＬ表示装置を用いたことを特徴とする電子機器。
【請求項７】
第１のＴＦＴ、第２のＴＦＴ及びＥＬ素子をそれぞれ有する画素が複数設けられ、
１フレーム期間に（ｎ＋ｍ）個（ｎ、ｍは共に自然数）の表示期間が出現し、
前記（ｎ＋ｍ）個の表示期間は、ｎビットのデジタルビデオ信号のうちいずれか１ビットのデジタルビデオ信号にそれぞれ対応しており、
前記（ｎ＋ｍ）個の表示期間のいずれかｋ（ｋは２以上ｎ＋ｍより小さい自然数）個の表示期間は、前記ｎビットのデジタルビデオ信号のうち第ｉ（ｉはｎ以下の自然数）位ビット目のデジタルビデオ信号に対応しており、
前記ｋ個の表示期間は連続せず、前記ｋ個の表示期間の間の表示期間において、前記（ｎ＋ｍ）個の表示期間のうちの、前記ｎビットのデジタルビデオ信号のうち第ｊ（ｊはｉとは異なるｎ以下の自然数）位ビット目に対応する表示期間が出現し、
前記（ｎ＋ｍ）個の表示期間のそれぞれは、前記第１のＴＦＴがオンになり対応するビット目の前記デジタルビデオ信号が前記第２のＴＦＴのゲート電極に入力されることで開始され、前記（ｎ＋ｍ）個の表示期間のうちの他の表示期間が開始されることで終了し、
前記第２のＴＦＴがオンになると前記ＥＬ素子が発光し、オフになると発光しないことを特徴とするＥＬ表示装置の駆動方法。
【請求項８】
第１のＴＦＴ、第２のＴＦＴ、第３のＴＦＴ及びＥＬ素子をそれぞれ有する画素が複数設けられ、
１フレーム期間に（ｎ＋ｍ）個（ｎ、ｍは共に自然数）の表示期間が出現し、
前記（ｎ＋ｍ）個の表示期間は、ｎビットのデジタルビデオ信号のうちいずれか１ビットのデジタルビデオ信号にそれぞれ対応しており、
前記（ｎ＋ｍ）個の表示期間のいずれかｋ（ｋは２以上ｎ＋ｍより小さい自然数）個の表示期間は、前記ｎビットのデジタルビデオ信号のうち第ｉ（ｉはｎ以下の自然数）位ビット目のデジタルビデオ信号に対応しており、
前記ｋ個の表示期間は連続せず、前記ｋ個の表示期間の間の表示期間において、前記（ｎ＋ｍ）個の表示期間のうちの、前記ｎビットのデジタルビデオ信号のうち第ｊ（ｊはｉとは異なるｎ以下の自然数）位ビット目に対応する表示期間が出現し、
前記（ｎ＋ｍ）個の表示期間のそれぞれは、前記第１のＴＦＴがオンになり対応するビットの前記デジタルビデオ信号が前記第２のＴＦＴのゲート電極に入力され、なおかつ前記第３のＴＦＴがオフでになることで開始され、前記（ｎ＋ｍ）個の表示期間のうちの他の表示期間が開始されるか、または第３のＴＦＴがオンになることで終了し、
前記第２のＴＦＴがオンになると前記ＥＬ素子が発光し、オフになると発光しないことを特徴とするＥＬ表示装置の駆動方法。
【請求項９】
第１のＴＦＴ、第２のＴＦＴ及びＥＬ素子をそれぞれ有する画素が複数設けられ、
１フレーム期間にｎ＋ｍ個（ｎ、ｍは共に自然数）の表示期間が出現し、
前記ｎ＋ｍ個の表示期間は、ｎビットのデジタルビデオ信号のうちいずれか１ビットのデジタルビデオ信号にそれぞれ対応しており、
前記（ｎ＋ｍ）個の表示期間のいずれかｋ（ｋは２以上ｎ＋ｍより小さい自然数）個の表示期間は、前記ｎビットのデジタルビデオ信号のうち最上位ビット目のデジタルビデオ信号に対応しており、
前記ｋ個の表示期間は連続せず、前記ｋ個の表示期間の間の表示期間において、前記（ｎ＋ｍ）個の表示期間のうちの、前記ｎビットのデジタルビデオ信号のうち前記最上位ビット以外のビット目に対応する表示期間が出現し、
前記（ｎ＋ｍ）個の表示期間のそれぞれは、前記第１のＴＦＴがオンになり対応するビットの前記デジタルビデオ信号が前記第２のＴＦＴのゲート電極に入力されることで開始され、前記ｎ＋ｍ個の表示期間のうちの、他の表示期間が開始されることで終了し、
前記第２のＴＦＴがオンになると前記ＥＬ素子が発光し、オフになると発光しないことを特徴とするＥＬ表示装置の駆動方法。
【請求項１０】
第１のＴＦＴ、第２のＴＦＴ、第３のＴＦＴ及びＥＬ素子をそれぞれ有する画素が複数設けられ、
１フレーム期間に（ｎ＋ｍ）個（ｎ、ｍは共に自然数）の表示期間が出現し、
前記（ｎ＋ｍ）個の表示期間は、ｎビットのデジタルビデオ信号のうちいずれか１ビットのデジタルビデオ信号にそれぞれ対応しており、
前記（ｎ＋ｍ）個の表示期間のいずれかｋ（ｋは２以上ｎ＋ｍより小さい自然数）個の表示期間は、前記ｎビットのデジタルビデオ信号のうち最上位ビット目のデジタルビデオ信号に対応しており、
前記ｋ個の表示期間は連続せず、前記ｋ個の表示期間の間の表示期間において、前記（ｎ＋ｍ）個の表示期間のうちの、前記ｎビットのデジタルビデオ信号のうち前記最上位ビット以外のビット目に対応する表示期間が出現し、
前記（ｎ＋ｍ）個の表示期間のそれぞれは、前記第１のＴＦＴがオンになり対応するビットの前記デジタルビデオ信号が前記第２のＴＦＴのゲート電極に入力され、なおかつ前記第３のＴＦＴがオフでになることで開始され、前記（ｎ＋ｍ）個の表示期間のうちの、他の表示期間が開始されるか、または第３のＴＦＴがオンになることで終了し、
前記第２のＴＦＴがオンになると前記ＥＬ素子が発光し、オフになると発光しないことを特徴とするＥＬ表示装置の駆動方法。
【請求項１１】
請求項７乃至請求項１０のいずれか１項において、
第ｉ（ｉはｎ以下の自然数）位ビット目のデジタルビデオ信号に対応する前記ｋ個の表示期間の長さを等しくし、
１フレーム期間あたりにおける、前記ｎビットのデジタルビデオ信号のうち第ｐ（ｐはｎ以下の自然数）位ビット目のデジタルビデオ信号に対応する表示期間の長さの合計をＬnとし、
１フレーム期間あたりにおける、前記ｎビットのデジタルビデオ信号のうち第ｐ位ビット目のデジタルビデオ信号に対応する表示期間の数をｍpとするとき、
前記ｎビットのデジタルビデオ信号の第１位ビット目乃至第ｎ位ビット目各々に対応する表示期間においてＬp／ｍp3の値が等しくなるように、前記ｎビットのデジタルビデオ信号の第１位ビット目乃至第ｎ位ビット目各々に応じてｍpの値を設定することを特徴とするＥＬ表示装置の駆動方法。
【請求項１２】
請求項７乃至請求項１０のいずれか１項において、
第ｉ（ｉはｎ以下の自然数）位ビット目のデジタルビデオ信号に対応する前記ｋ個の表示期間の長さを等しくし、
１フレーム期間あたりにおける、前記ｎビットのデジタルビデオ信号のうち第ｐ（ｐはｎ以下の自然数）位ビット目のデジタルビデオ信号に対応する表示期間の長さの合計をＬnとし、
１フレーム期間あたりにおける、前記ｎビットのデジタルビデオ信号のうち第ｐ位ビット目のデジタルビデオ信号に対応する表示期間の数をｍpとするとき、
前記ｎビットのデジタルビデオ信号の第１位ビット目乃至第ｎ位ビット目各々に対応する表示期間においてＬp／ｍp2の値が等しくなるように、前記ｎビットのデジタルビデオ信号の第１位ビット目乃至第ｎ位ビット目各々に応じてｍpの値を設定することを特徴とするＥＬ表示装置の駆動方法。
【請求項１３】
請求項７乃至請求項１２のいずれか１項において、
前記１フレーム期間の最初の表示期間と、前記１フレーム期間の最後の表示期間とは、前記ｎビットのデジタルビデオ信号の異なるビット目のデジタルビデオ信号に対応する表示期間であることを特徴とするＥＬ表示装置の駆動方法。
【請求項１４】
請求項７乃至請求項１３のいずれか１項において、
前記第１のＴＦＴと前記第２のＴＦＴは極性が同じであることを特徴とするＥＬ表示装置の駆動方法。
【請求項１５】
請求項７乃至請求項１４のいずれか１項において、
１フレーム期間あたりにおける、前記ｎビットのデジタルビデオ信号のうち第ｐ（ｐはｎ以下の自然数）位ビット目のデジタルビデオ信号に対応する表示期間の長さの合計をＴｒpとすると、
Ｔｒp＝２p-1であることを特徴とするＥＬ表示装置の駆動方法。